(57)【要約】【課題】  取付板への確実な固定が可能で、且つ照明装置の内部への虫や埃の侵入を防止する。【課題手段】  取付板３の上面側にアーム取付部材６が固定される。スイッチアーム８は、アーム取付部材６にスライド自在に装着されプルスイッチから取付板３を貫通して引き出された引き紐を取付板３の側面まで案内する。取付板３には、アーム取付部材６を取り付けるための複数の取付孔１１，１２，１３が形成されている。アーム取付部材６は、取付孔１１〜１３に挿入されアーム取付部材６が所定方向にスライドされることにより取付板３の下面に引っ掛かる係合片３６，３７，３８と、この係合片３６〜３８と反対側に張り出してアーム取付部材６が所定方向にスライドされることにより取付板３の取付孔１１〜１３を上面から塞ぐ蓋部４１，４２，４３とを有する。【選択図】  図４
2005346959.tif 000002
【特許請求の範囲】
【請求項１】
下面側に引き紐によって電源供給をオンオフするためのプルスイッチを含む本体部品が構成されると共にこれら本体部品が照明カバーで覆われ、上面が天井等の取付面に対向する取付板と、
この取付板の上面側に固定されたアーム取付部材と、
このアーム取付部材にスライド自在に装着されて前記プルスイッチから前記取付板を貫通して引き出された引き紐を前記取付板の側面まで案内するスイッチアームと
を備えた照明装置において、
前記取付板には、前記アーム取付部材を取り付けるための１又は複数の取付孔が形成され、
前記アーム取付部材は、
前記取付孔に挿入され前記アーム取付部材が所定の方向にスライドされることにより前記取付板の下面に引っ掛かる係合片と、
この係合片と反対側に張り出して前記アーム取付部材が所定の方向にスライドされることにより前記取付板の取付孔を上面から塞ぐ蓋部とを有する
ことを特徴とする照明装置。
【請求項２】
前記アーム取付部材は、
前記スイッチアームのスライド方向及びこれと直交する方向の位置を異ならせた少なくとも３組の前記係合片及び蓋部を有し、
前記所定の方向にスライドさせた状態で前記取付板にねじにより固定されたものである
ことを特徴とする請求項１記載の照明装置。
【請求項３】
前記アーム取付部材には、前記引き紐を挿通させる引き紐挿通孔が形成されている
ことを特徴とする請求項１又は２記載の照明装置。
【発明の詳細な説明】
【技術分野】
【０００１】
本発明は、天井に取り付けられる照明装置（シーリングライト）に関し、特に電源をオンオフする引き紐を照明装置の側面側に案内するためのスイッチアームが形成された照明装置に関する。
【背景技術】
【０００２】
天井に取り付けられる照明装置に紐スイッチを使用する場合、一般に、紐スイッチがセードやグローブと接触しないように、引き紐を天井に沿って横方向に案内し、セードやグローブから少し離れた位置から吊り下げるようにしている。このように引き紐を案内する部材をスイッチアームと呼ぶ。スイッチアームには、照明装置のオンオフを壁スイッチのみにより行う場合等、引き紐を使用しないときに、照明装置と天井との間のスペースに収納可能なタイプや着脱自在のタイプがある。収納タイプとしては、回転収納タイプやスライド収納タイプが知られている。
【０００３】
図８は、特許文献１に開示された従来のスライド収納タイプのスイッチアームを示す斜視図である。下面にプルスイッチを含む照明構成部品が配置され、上面が天井面と対向する取付板５１には、スイッチアーム５２の取り付け用の取付孔５３が形成されている。スイッチアーム５２は、長尺の板状で、アーム取付部材５４に長手方向にスライド自在に支持されている。プルスイッチから延びる引き紐は、スイッチアーム５２の中央に形成された長手方向に延びるスリット５５と、スイッチアーム５２の先端に形成された挿通孔５６を挿通してスイッチアーム５２の先端から吊り下げられるようにしている。
【０００４】
このようなスイッチアーム５２は、引き紐が下に引かれると、スイッチアーム５２を支持するアーム取付部材５４にてこの原理により大きな力が加わるので、アーム取付部材５４は、取付板５１に強固に固定される必要がある。また、ここに開示されたスイッチアーム５２は、組立時の作業性を向上させるため、スイッチアーム５２を取付板５１の下面側から組み付け可能にしている。スイッチアーム５２は、取付板５１の下面側から取付孔５３を通して取付板５１の上面側に配置される。このため、取付孔５３は、スイッチアーム５２を挿通可能な程度の大きさが必要となる。
【特許文献１】特開２００２−８４３４    段落００２７〜００３０、図１
【発明の開示】
【発明が解決しようとする課題】
【０００５】
しかしながら、特許文献１に開示された照明装置では、取付板に大きく開口された取付孔が形成されるため、天井と取付板との間のスペースから上記取付孔を介して虫や埃が照明装置の内部に侵入するという問題がある。
【０００６】
本発明は、このような点に鑑みなされたもので、取付板への確実な固定が可能で、且つ内部への虫や埃の侵入を防止可能なスライドアーム付きの照明装置を提供することを目的とする。
【課題を解決するための手段】
【０００７】
本発明に係る照明装置は、下面側に引き紐によって電源供給をオンオフするためのプルスイッチを含む本体部品が構成されると共にこれら本体部品が照明カバーで覆われ、上面が天井等の取付面に対向する取付板と、この取付板の上面側に固定されたアーム取付部材と、このアーム取付部材にスライド自在に装着されて前記プルスイッチから前記取付板を貫通して引き出された引き紐を前記取付板の側面まで案内するスイッチアームとを備えた照明装置において、前記取付板には、前記アーム取付部材を取り付けるための１又は複数の取付孔が形成され、前記アーム取付部材が、前記取付孔に挿入され前記アーム取付部材が所定の方向にスライドされることにより前記取付板の下面に引っ掛かる係合片と、この係合片と反対側に張り出して前記アーム取付部材が所定の方向にスライドされることにより前記取付板の取付孔を上面から塞ぐ蓋部とを有することを特徴とする。
【０００８】
本発明の一つの実施形態において、前記アーム取付部材は、前記スイッチアームのスライド方向及びこれと直交する方向の位置を異ならせた少なくとも３組の前記係合片及び蓋部を有し、前記所定の方向にスライドさせた状態で前記取付板にねじにより固定されたものであり、また、前記アーム取付部材には、前記引き紐を挿通させる引き紐挿通孔が形成されている。
【発明の効果】
【０００９】
本発明によれば、アーム取付部材に形成された係合片が、取付板の取付孔に挿入された状態で所定の方向にスライドされることにより取付板の下面に引っ掛かるため、スイッチアームに引き紐を介して下側に引っ張る力が加わっても、アーム取付部材が取付板から容易に外れることはなく、また、アーム取付板のスライドにより、係合片と反対側に張り出した蓋部が取付板の取付孔を上面から塞ぐようにしているので、取付孔から照明装置の内部に虫や埃が侵入するのを防止することができる。
【発明を実施するための最良の形態】
【００１０】
以下、添付の図面を参照して、この発明の実施形態を説明する。
【００１１】
図１は本発明の一実施形態に係る照明装置の側面図、図２及び図３は要部の分解斜視図で上から見た図、図４及び図５は要部の分解斜視図で下から見た図である。
【００１２】
図１に示すように、天井１に固定される照明装置２は、取付板３と、この取付板３の下面側に配置された電源供給をオンオフするためのプルスイッチ４を含む本体部品と、これら本体部品を覆って取付板３の下面側に取り付けられる照明カバー５と、取付板３の上面側に固定されたアーム取付部材６と、このアーム取付部材６にスライド自在に装着されてプルスイッチ４から取付板３を貫通して引き出された引き紐７を取付板の側方まで案内するスイッチアーム８とを備えている。
【００１３】
図２及び図４に示すように、取付板３には、アーム取付部材６を取り付けるための３つの取付孔１１，１２，１３が設けられている。これらはスイッチアーム８のスライド方向及びこれと直交する方向の位置を異ならせ、四隅のうちの三箇所に配置されている。四隅のうちの残りの一つの位置（外側）には、ねじ１４を締め付けるためのねじ孔１５が設けられている。また、これら取付孔１１，１２，１３及びねじ孔１５で囲まれた取付領域の中央部には、引き紐７が挿通される挿通孔１６が形成されている。
【００１４】
スイッチアーム８は、樹脂により形成された長尺の板状体で、先端寄りの位置から基端部にかけて引き紐８が挿通する長手方向に延びるスリット２１を形成すると共に、先端部に引き紐８が挿通する挿通孔２２を形成してなる。スイッチアーム８の両側縁には、スイッチアーム８の取付板３からの突出量を調整するための複数の切り欠き２３が長手方向に所定間隔で刻設されている。スイッチアーム８の基端部には、スイッチアーム８がアーム取付部材６から抜け落ちるのを防止するための突起２４，２５が突設されている。
【００１５】
アーム取付部材６は、図６にその平面図を示すように、スイッチアーム８を上面で支持するベース部３１と、このベース部３１の両側に突設されてスイッチアーム８の側面を規制するスイッチアーム８の長手方向に延びるリブ３２，３３と、これらリブ３２，３３の上部から内側にわずかに張り出す部分を含み基端側が互いに連結されてスイッチアーム８の上部への移動を規制する上部押さえ部３４と、リブ３２，３３の先端部に形成されてスイッチアーム８の両側縁部の切り欠き２３に弾性的に係合する弾性係合体３５とを有する。
【００１６】
また、アーム取付部材６には、リブ３２の基端外側、リブ３３の基端内側及びリブ３２の先端外側に、取付板３の取付孔１１，１２，１３にそれぞれ挿入され、アーム取付部材６がスイッチアーム８のスライド方向と直交する方向にスライドされることにより取付板３の下面に引っ掛かる係合片３６，３７，３８と、これら係合片３６，３７，３８と反対側に張り出してアーム取付部材６が上述した方向にスライドされることにより取付板３の取付孔１１，１２，１３を上面から塞ぐ蓋部４１，４２，４３とを有している。また、リブ３３の先端外側には、ねじ止め用のねじ止め孔４４を有する。
【００１７】
ベース部３１の中央には、下側に向けて引き紐７が沿う所定のスロープを形成した突起４５が形成され、この突起４５の先端部に引き紐７を挿通するための挿通孔４６が形成されている。更に、ベース部３１の先端側には、スイッチアーム８のスリット２３に嵌る突起４７が上方に向けて突設されている。
【００１８】
次に、このように構成された照明装置のスイッチアーム８の組立手順について説明する。図７は、図６のＡ−Ａ′断面を取付板３の断面と共に示す図である。
【００１９】
同図（ａ）に示すように、まず、アーム取付部６の係合部３６，３７，３８を、取付板３の取付孔１１，１２，１３に上から挿入し、同図（ｂ）のように挿入されたら、アーム取付部６を図中矢印で示す方向（スイッチアーム８のスライド方向と直交する方向）にスライドさせることにより、同図（ｃ）に示すように、係合片３６，３７，３８を取付板３の下面と係合させる。これにより、スイッチアーム８の下方への力に対する固定強度を向上させることができる。同時に蓋部４１，４２，４３が取付孔１１，１２，１３をそれぞれ上からと塞ぐようにしているので、照明装置２の内部に虫や埃が入ってくるのを防止することができる。
【００２０】
そして、図２、図４に示すように、ねじ１４をねじ孔４４を介してねじ孔１５に締め付けることにより、アーム取付部材６を取付板３に固定する。
【００２１】
次に、スイッチアーム８を、図２及び図４に示すように、アーム取付部材６に基端側からスライド方向に挿入してアーム取付部材６にセットする。
【００２２】
最後に、引き紐７の一端を、アーム取付部材６の挿通孔４６、スイッチアーム８のスリット２１及び挿通孔２２に通し、他端をプルスイッチ４に接続することにより、引き紐７をスイッチアーム８にセットすることができる。
【００２３】
このように、本実施形態の照明装置によれば、アーム取付部材６が取付板３から容易に外れることはなく、また、取付孔１１，１２，１３から照明装置の内部に虫や埃が侵入するのを防止することができる。
【図面の簡単な説明】
【００２４】
【図１】本発明の一実施形態に係る照明装置の側面図である。
【図２】同照明装置の要部を上方から見た分解斜視図である。
【図３】同照明装置の要部を上方から見た斜視図である。
【図４】同照明装置の要部を下方から見た分解斜視図である。
【図５】同照明装置の要部を下方から見た斜視図である。
【図６】同照明装置におけるアーム取付部材の平面図である。
【図７】同アーム取付部材の図６におけるＡ−Ａ′断面を取付板の断面と共にその取付工程順に示した図である。
【図８】従来のスイッチアームを備えた照明装置の要部を示す分解者図である。
【符号の説明】
【００２５】
１…天井、２…照明装置、３…取付板、４…プルスイッチ、５…照明カバー、６…アーム取付部材、７…引き紐、８…スイッチアーム、１１，１２，１３…取付孔、３６，３７，３８…係合片、４１，４２，４３…蓋部。
【図１】
2005346959.tif 000003
【図２】
2005346959.tif 000004
【図３】
2005346959.tif 000005
【図４】
2005346959.tif 000006
【図５】
2005346959.tif 000007
【図６】
2005346959.tif 000008
【図７】
2005346959.tif 000009
【図８】
2005346959.tif 000010